Podtech/llm-jp-corpus-v4-ja_patent huggingface dataset:
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
動的に構成された有効な電極形状を利用してその中を通過する光の伝播を制御する可変光学装置であって、
前記光が通り抜ける液晶層であり、前記液晶層の光学特性によって前記光の伝播を制御する前記液晶層と、
前記液晶層に作用する電場を発生させるように配置された電極システムと、
複数の異なる周波数の駆動信号を発生させて前記駆動信号を前記電極システムに加える電気信号発生装置を有し、
前記装置が、前記駆動信号の周波数に伴って変化する電荷移動度を有する周波数依存性材料を含むことで、前記駆動信号のスペクトル成分が前記電極システムの有効な電極形状を動的に構成し、それにより前記電場の空間プロファイルが、前記液晶層の前記光学特性を変化させる前記スペクトル成分に応じて変化する、前記可変光学装置。
【請求項２】
前記駆動信号は、前記光の伝播を変化させるように変化する単一周波数信号を実質上有する、請求項１に記載の装置。
【請求項３】
前記信号発生装置は、前記駆動信号の電圧を実質的に変化させずに前記光の伝播を制御する、請求項２に記載の装置。
【請求項４】
前記駆動信号は、前記空間プロファイルを生じさせるように組み合わせた複数の周波数を有する、請求項１に記載の装置。
【請求項５】
前記信号発生装置は、前記駆動信号の振幅を変えることで前記光の伝播を調節する、請求項１、２又は４に記載の装置。
【請求項６】
前記液晶層は、低角のプレチルトアライメント層を有し、前記信号発生装置は、前記液晶層内で液晶の回位を規制する駆動信号を加えるように作動する、請求項１〜５のいずれか１つに記載の装置。
【請求項７】
前記装置は、レンズであり、前記液晶層は、低角のプレチルトアライメント層を有し、前記信号発生装置は、前記アライメント層で定義される基底状態付近に前記液晶層内の液晶が留まるのを規制する駆動信号を加えるように作動することで、前記電場に対する前記液晶の改善された応答によって像収差を軽減する、請求項１〜５のいずれか１つに記載の装置。
【請求項８】
前記装置は、異なる方向に液晶配向させて前記装置の偏光感度を低下させる少なくとも２つの液晶層を有する、請求項１〜７のいずれか１つに記載の装置。
【請求項９】
前記電極システムは、少なくとも１層の上部液晶層と少なくとも１層の下部液晶層の間に配置された環状の中間電極と、透明な上部電極と、透明な下部電極を有し、
前記周波数依存性材料は、前記環状の中間電極付近に配置された材料層を有し、そのため前記周波数依存性材料で変調される前記空間プロファイルが、前記環状の中間電極と前記透明な上部電極の間の少なくとも１層の上部液晶層と、前記環状の中間電極と前記透明な下部電極の間の少なくとも１層の下部液晶層にて同一である、請求項８に記載の装置。
【請求項１０】
前記液晶層が実質上平面である、請求項１〜９のいずれか１つに記載の装置。
【請求項１１】
前記装置が屈折率分布型レンズ（ＧＲＩＮ）である、請求項１〜１０のいずれか１つに記載の装置。
【請求項１２】
前記レンズが、好ましくは３ジオプタより大きく調整可能で可変な屈折力を有する、請求項１１に記載の装置。
【請求項１３】
前記電極システムが、孔パターン又は環状の電極を有する、請求項１〜１２のいずれか１つに記載の装置。
【請求項１４】
前記周波数依存性材料が、前記電極システムの前記孔パターン電極又は環状電極付近の薄い材料層を有する、請求項１３に記載の装置。
【請求項１５】
前記電極システムと前記周波数依存性材料が非平面の有効な電極形状をもたらし、前記電場の前記空間変調が、前記電極電圧の空間変調の他に、前記電極形状によっても生じる、請求項１〜１２のいずれか１つに記載の装置。
【請求項１６】
前記電極システムが湾曲した電極を有する、請求項１５に記載の装置。
【請求項１７】
前記周波数依存性材料が、前記液晶層の液晶に含まれる不純物又はドーパント物質を有する、請求項１〜１６のいずれか１つに記載の装置。
【請求項１８】
前記信号発生装置が、パルス幅変調回路を有する、請求項１〜１７のいずれか１つに記載の装置。
【請求項１９】
前記パルス幅変調回路がＰＷＭ波形の複数の振幅を発生し、前記振幅が、動作周期の対応する変化に伴って変化し、前記波形の周波数成分が中心周波数から外れると過剰な量のエネルギーを含む場合に実質的に同一の有効なＰＷＭ電圧を供給する、請求項１８に記載の装置。
【請求項２０】
前記周波数依存性材料が半導体材料を有する、請求項１〜１９のいずれか１つに記載の装置。
【請求項２１】
前記発生装置は、前記液晶がアライメント層で定義される基底状態から再配向されかつ前記液晶層の前記光学特性が空間的に一様である場合に前記空間プロファイルが実質的に一様な第１駆動信号と、前記空間プロファイルが空間的に一様でない第２駆動信号と、を発生させることで光の伝播全体で望ましい制御を達成するように構成される、請求項１〜２０のいずれか１つに記載の装置。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
光学アセンブリであって、
ディスプレイパネルと、
実質的に透明な基材と、
前記ディスプレイパネルと前記実質的に透明な基材との間に配置された光重合可能層であって、１０μｍ超〜約１２ｍｍの厚さを有する光重合可能層と、
ケイ素結合水素及び脂肪族不飽和物を含むケイ素含有樹脂と、
前記光重合可能層１００万部当たり、プラチナが約０．５部〜約３０部の量で存在するプラチナ光触媒と、を含む、光学アセンブリ。
【請求項２】
前記光重合可能層には触媒阻害物質がない、請求項１に記載の光学アセンブリ。
【請求項３】
前記光重合可能層が、化学量論的量が前記プラチナ光触媒よりも少ない触媒阻害物質を含む、請求項１に記載の光学アセンブリ。
【請求項４】
前記ケイ素含有樹脂がオルガノシロキサンを含む、請求項１に記載の光学アセンブリ。
【請求項５】
請求項１の光学アセンブリを含む光学デバイスであって、ディスプレイを含む携帯端末、テレビ、コンピュータモニタ、ラップトップディスプレイ又はデジタル標示板を含む、光学デバイス。
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
チャンバ外圧と異なってよいチャンバ内圧を保持することができる内部を有する処理チャンバと、
前記処理チャンバ内の第１の導電性表面と、
前記処理チャンバ内の第２の導電性表面と、
ガス入口組立体であって、
プロセスガスを導くための、入口ポート中の第１の流路と、
前記プロセスガスを励起するための、遠隔プラズマシステムと、
処理ガスを導くための、入口ポート中の第２の流路と、
を含み、
前記第２の流路は処理ガスが、プロセスガスを励起するための前記遠隔プラズマシステムをバイパスして、処理チャンバに入るようにする、ガス入口組立体と、
前記第１の導電性表面と前記第２の導電性表面の間に配置されて、第１のプラズマ領域および第２のプラズマ領域とを画定するシャワーヘッドであって、
前記第１の導電性表面との間に前記第１のプラズマ領域が配置されており、
前記第２の導電性表面との間に前記第２のプラズマ領域が配置されており、
導電性材料を含み、電気スイッチにより電気的接続が行われない限り前記第１の導電性表面から電気絶縁されており、
電気スイッチにより電気的接続が行われない限り前記第２の導電性表面から電気絶縁され、
間に容積を有する上部マニフォルドと下部マニフォルドを含み、ガスが上部マニフォルドと下部マニフォルドの間に送出され、下部マニフォルドを通って基板処理領域へ流れる、シャワーヘッドと
を備える、基板処理システム。
【請求項２】
前記シャワーヘッドが前記第１の導電性表面と類似の電位にあることにより、前記第１のプラズマ領域内にほとんどプラズマがない、請求項１に記載の基板処理システム。
【請求項３】
前記シャワーヘッドが前記第２の導電性表面と類似の電位にあることにより、前記第２のプラズマ領域内にほとんどプラズマがない、請求項１に記載の基板処理システム。
【請求項４】
前記電気スイッチが前記処理チャンバの外側にある、請求項１に記載の基板処理システム。
【請求項５】
前記第２の導電性表面が電気的アースに保持されており、前記電気スイッチが少なくとも２つの取り得る位置を有し、
前記電気スイッチの第１の位置が、無線周波電源を前記第１の導電性表面に接続し、電気的アースを前記シャワーヘッドに接続して、前記第１のプラズマ領域内で第１のプラズマを形成し、
前記電気スイッチの第２の位置が、前記無線周波電源を前記シャワーヘッドに接続し、電気的アースを前記第２の導電性表面に接続して、前記第２のプラズマ領域内で第２のプラズマを形成する、
請求項１に記載の基板処理システム。
【請求項６】
前記処理チャンバに結合されて、前記処理チャンバから材料を除去するポンプシステムを備える、請求項１に記載の基板処理システム。
【請求項７】
前記処理チャンバの外部にあり、前記第１のプラズマ領域に流体結合された遠隔プラズマシステムを備えており、前記遠隔プラズマシステムが、励起状態にある反応物を含むガスを前記第１のプラズマ領域に供給する、請求項１に記載の基板処理システム。
【請求項８】
前記上部マニフォルドが、上部マニフォルドと下部マニフォルドの間の容積に送出されるガスが、上部マニフォルドを通って上に流れるのを防ぐようになっている、請求項１に記載の基板処理システム。
【請求項９】
別々のプラズマ領域に仕切られた処理チャンバであって、
前記処理チャンバを、それぞれが別々のプラズマを収容するように働くことが可能な第１のプラズマ領域と第２のプラズマ領域に分割する仕切りと、
ガスが前記第１のプラズマ領域から前記第２のプラズマ領域に通過できるようにするための前記仕切りの複数の孔と、
前記第２のプラズマ領域の一部分を占有する基板ペデスタルと
を備える、処理チャンバ。
【請求項１０】
前記第１のプラズマ領域および前記第２のプラズマ領域内のプラズマが容量結合型である、請求項９に記載の処理チャンバ。
【請求項１１】
プロセスガスを前記第１のプラズマ領域に供給するためのガス入口を備える、請求項９に記載の処理チャンバ。
【請求項１２】
前記ガス入口が、励起状態にあるプロセスガスを前記第１のプラズマ領域に供給するように動作可能な遠隔プラズマシステムに結合されている、請求項１１に記載の処理チャンバ。
【請求項１３】
前記ガス入口が、Ｏ２、Ｏ３、Ｎ２Ｏ、ＮＯ、ＮＯ２、ＮＨ３、ＮＨ４ＯＨ、ＮｘＨｙ、シラン、ジシラン、ＴＳＡ、ＤＳＡ、Ｈ２、Ｎ２、Ｈ２Ｏ２、および水蒸気からなる群から選択される少なくとも１種のガスを含むプロセスガスをプロセスチャンバに供給するように動作可能な流体供給システムに流体結合されている、請求項１１に記載の処理チャンバ。
【請求項１４】
前記第２のプラズマ領域内で前記基板ペデスタルの上方に配置されたノズルであって、プロセスガスを前記第２のプラズマ領域に送出するように動作可能な１つまたは複数のノズルを備える、請求項９に記載の処理チャンバ。
【請求項１５】
前記１つまたは複数のノズルが、炭素およびシリコン含有前駆体を処理チャンバに供給するように動作可能な流体供給システムに流体結合されている、請求項１４に記載の処理チャンバ。
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
アジュバント製剤と治療上効果的な量の抗原成分とを含むワクチン組成物であって、アジュバント製剤が、サポニン、ステロール、第４級アンモニウム化合物、およびポリマーを含むワクチン組成物。
【請求項２】
サポニンが１用量当たり約１μｇから約５，０００μｇの量で存在し、ステロールが１用量当たり約１μｇから約５，０００μｇの量で存在し、第４級アンモニウム化合物が１用量当たり約１μｇから約５，０００μｇの量で存在し、ポリマーが約０．０００１％ｖ／ｖから約７５％ｖ／ｖの量で存在する、請求項１に記載のワクチン組成物。
【請求項３】
サポニンがＱｕｉｌ Ａまたはその精製画分であり、ステロールがコレステロールであり、第４級アンモニウム化合物がＤＤＡであり、ポリマーがポリアクリル酸である、請求項１に記載のワクチン組成物。
【請求項４】
Ｔｈ２刺激物質をさらに含む、請求項１に記載のワクチン組成物。
【請求項５】
Ｔｈ２刺激物質が糖脂質である、請求項４に記載のワクチン組成物。
【請求項６】
Ｔｈ２刺激物質がＮ−（２−デオキシ−２−Ｌ−ロイシルアミノ−β−Ｄ−グルコピラノシル）−Ｎ−オクタデシルドデカンアミドアセタートである、請求項５に記載のワクチン組成物。
【請求項７】
糖脂質が１用量当たり約０．０１ｍｇから約１０ｍｇの量で存在する、請求項５に記載のワクチン組成物。
【請求項８】
前記抗原成分が不活化ウイルスを含む、請求項１に記載のワクチン組成物。
【請求項９】
ａ）緩衝液中で抗原成分の組成物を調製するステップ、
ｂ）ステップａの組成物にサポニンを添加するステップ、
ｃ）ステップｂの組成物にステロールを添加するステップ、
ｄ）ステップｃの組成物に第４級アンモニウム化合物を添加するステップ、
ｅ）ステップｄの組成物にポリマーを添加するステップ
を含む、請求項１に記載のワクチン組成物を調製する方法。
【請求項１０】
サポニンがＱｕｉｌ Ａまたはその精製画分であり、ステロールがコレステロールであり、第４級アンモニウム化合物がＤＤＡであり、ポリマーがポリアクリル酸である、請求項９に記載の方法。
【請求項１１】
ステップａの組成物を均質化し、ステップａからｄの各ステップの間に均質化を継続するステップをさらに含む、請求項９に記載の方法。
【請求項１２】
ステップｄの組成物のマイクロ流体化を含むステップをさらに含む、請求項１１に記載の方法。
【請求項１３】
ステップｅの組成物にＴｈ２刺激物質を添加するステップｆ）をさらに含む、請求項９に記載の方法。
【請求項１４】
Ｔｈ２刺激物質が糖脂質である、請求項１３に記載の方法。
【請求項１５】
Ｔｈ２刺激物質がＮ−（２−デオキシ−２−Ｌ−ロイシルアミノ−β−Ｄ−グルコピラノシル）−Ｎ−オクタデシルドデカンアミドアセタートである、請求項１３に記載の方法。
【請求項１６】
油をさらに含む、請求項１に記載のワクチン組成物。
【請求項１７】
抗原成分がネコ白血病ウイルスを含む、請求項９から１５のいずれかに記載の方法。
【請求項１８】
抗原成分がネコ白血病ウイルスを含む、請求項１から８のいずれかに記載のワクチン組成物。
【請求項１９】
ネコ白血病ウイルスが約１００ｎｇ／ｍＬから約３５０，０００ｎｇ／ｍＬまでの量で存在する、請求項１８に記載のワクチン組成物。
【請求項２０】
請求項１８に記載のワクチン組成物をネコに投与することを含む、ネコ白血病ウイルスにより生じる感染に対してネコを治療する方法。
【請求項２１】
ネコ白血病ウイルスにより生じる感染に対してネコを治療するための医薬品の調製における、請求項１８に記載のワクチンの使用。
【請求項２２】
ＯＲＮ／ＯＤＮをさらに含む、請求項１から８のいずれかに記載のワクチン組成物。
【請求項２３】
ＯＲＮ／ＯＤＮがＣｐＧである、請求項２２に記載のワクチン組成物。
【手続補正書】
【提出日】平成23年6月6日(2011.6.6)
【手続補正１】
【補正対象書類名】明細書
【補正対象項目名】００１８
【補正方法】変更
【補正の内容】
【００１８】
【化１−１】
2011525914.tif 000001
【手続補正２】
【補正対象書類名】明細書
【補正対象項目名】００３７
【補正方法】変更
【補正の内容】
【００３７】
[0049]ソマトスタチン−１４は、視床下部および胃腸管で産生される、生物学的に活性であるテトラデカペプチドである。該テトラデカペプチドのアミノ酸配列は、ＡＧＣＫＮＦＦＷＫＴＦＴＳＣ（配列番号１）である。ソマトスタチン−１４の配列は、哺乳動物間で非常に保存されている（Ｌｉｎ  ＸＷら  Ｅｖｏｌｕｔｉｏｎ  ｏｆ  ｎｅｕｒｏｅｎｄｏｃｒｉｎｅ  ｐｅｐｔｉｄｅ  ｓｙｓｔｅｍｓ：  ｇｏｎａｄｏｔｒｏｐｉｎ−ｒｅｌｅａｓｉｎｇ  ｈｏｒｍｏｎｅ  ａｎｄ  ｓｏｍａｔｏｓｔａｔｉｎ．  Ｃｏｍｐ  Ｂｉｏｃｈｅｍ  Ｐｈｙｓｉｏｌ  Ｃ  Ｐｈａｒｍａｃｏｌ  Ｔｏｘｉｃｏｌ  Ｅｎｄｏｃｒｉｎｏｌ．  １９９８  １１９（３）：３７５−８８．）。該テトラデカペプチドは、核酸配列ＧＣＴＧＧＣＴＧＣＡＡＧＡＡＴＴＴＣＴＴＣＴＧＧＡＡＧＡＣＴＴＴＣＡＣＡＴＣＣＴＧＴ（配列番号１５）にコードされる（配列番号１をコードする他の核酸配列を用いてもよいが、配列番号１５が例示目的のために提供されていることに留意されたい）。
【手続補正書】
【提出日】平成24年2月3日(2012.2.3)
【手続補正１】
【補正対象書類名】特許請求の範囲
【補正対象項目名】請求項１０
【補正方法】変更
【補正の内容】
【請求項１０】
ポリアミドをイオン性液体中に溶解し、追加的な促進剤を使用することなく、少なくとも一個のアミノ基及び／又はカルボキシル基を有する官能化モノマーでアミド基転移することを特徴とするアミド基転移によりポリアミドを官能化させる方法。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
ある視角範囲において可視であるしるしを有する光制御フィルムであって、
光入射面、及び前記光入射面に対向する光出射面と、
前記光入射面と前記光出射面との間に交互に配置された透過区域及び吸収区域とを含み、
前記吸収区域の各々は高さを有し、前記しるしに対応する前記吸収区域の前記高さは、前記しるしに対応する前記吸収区域を囲む前記吸収区域の前記高さとは異なる、光制御フィルム。
【請求項２】
前記しるしに対応する前記吸収区域の前記高さが、前記しるしに対応する前記区域を囲む前記吸収区域の前記高さよりも低い、請求項１に記載の光制御フィルム。
【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
印刷シートをその先端により保持するための複数の離間されたグリッパバー（３２）を含む少なくとも１つのシートグリッパシステム（３ａ、３ｂ）を備えるシートコンベアシステムによって移送される印刷シートの品質を検査するための検査システム（１０）であって、前記検査システム（１０）が、印刷シートがシートグリッパシステム（３ｂ）によって移送されている間に印刷シートの第１の側の検査を行なうための光学品質制御装置を備え、
前記光学品質制御装置は、検査位置で印刷シートの第１の側を走査するためのラインカメラ（１１）を含み、該ラインカメラは、印刷シートがラインカメラ（１１）によって依然として走査されている間に印刷シートを移送するグリッパバー（３２）が移動方向の変化を受けるシートグリッパシステム（３ｂ）の部分に近い場所に位置され、
前記検査システム（１０）は、シートグリッパシステム（３ｂ）によって移送される印刷シートの経路（Ａ）に沿ったラインカメラ（１１）の光学経路（Ｂ）の前方に配置される吸引ローラ（５０）を更に備え、吸引ローラ（５０）は、ラインカメラ（１１）によって走査される第１の側と反対側の印刷シートの第２の側と接触し、前記吸引ローラは、品質制御装置によって検査されるべき印刷シートの一連の部分を、決定されて制御された速度でラインカメラ（１１）を通り過ぎて推し進めるために選択された周速度で駆動される、検査システム（１０）。
【請求項２】
前記吸引ローラ（５０）の直前に位置される吸引ボックス（６０）を更に備え、該吸引ボックスは、印刷シートの前記第２の側と協働して、印刷シートの第２の側の少なくとも一部を吸引ローラ（５０）と接触する前に吸引ボックス（６０）の略平坦面（６０ａ）に対して吸引する、請求項１に記載の検査システム。
【請求項３】
印刷シートをその先端により保持するための複数の離間されたグリッパバー（３２）を含む少なくとも１つのシートグリッパシステム（３ａ、３ｂ）を備えるシートコンベアシステムによって移送される印刷シートの品質を検査するための検査システム（１０）であって、前記検査システム（１０）が、印刷シートがシートグリッパシステム（３ｂ）によって移送されている間に印刷シートの第１の側の検査を行なうための光学品質制御装置を備え、
前記光学品質制御装置は、印刷シートの第１の側を走査するためのラインカメラ（１１）を含み、
前記検査システムは、
−シートグリッパシステム（３ｂ）によって移送される印刷シートの経路（Ａ）に沿ったラインカメラ（１１）の光学経路（Ｂ）の前方に配置される吸引ローラ（５０）であって、ラインカメラ（１１）によって走査される第１の側と反対側の印刷シートの第２の側と接触する吸引ローラ（５０）と、
−前記吸引ローラ（５０）の直前に位置される吸引ボックス（６０）であって、印刷シートの前記第２の側と協働して、印刷シートの第２の側の少なくとも一部を吸引ローラ（５０）と接触する前に吸引ボックス（６０）の略平坦面（６０ａ）に対して吸引する吸引ボックス（６０）とを更に備える、検査システム（１０）。
【請求項４】
前記吸引ローラ（５０）は、品質制御装置によって検査されるべき印刷シートの一連の部分を決定されて制御された速度でラインカメラ（１１）を通り過ぎて推し進めるために選択された周速度で駆動される、請求項３に記載の検査システム。
【請求項５】
吸引ローラ（５０）の回転がグリッパバー（３２）の移動と同期される、請求項１から請求項４のいずれか一項に記載の検査システム。
【請求項６】
前記吸引ローラ（５０）の外周の長さは、２つの連続するグリッパバー（３２）間の距離の一部分である、請求項５に記載の検査システム。
【請求項７】
吸引ローラ（５０）は、グリッパバー（３２）を駆動させるチェーン（３１）により、吸引ローラ（５０）とチェーン（３１）との間の機械的なカップリングを介して回転駆動される、請求項５に記載の検査システム。
【請求項８】
前記吸引ローラ（５０）が別個のドライブにより駆動される、請求項１から請求項４のいずれか一項に記載の検査システム。
【請求項９】
グリッパバー（３２）を駆動させるチェーン（３１）により回転駆動されて、一連のグリッパバー（３２）の通過の頻度に対応する１つの完全な回転を行なうシングルターンシャフト（５６）を更に備える、請求項１から請求項４のいずれか一項に記載の検査システム。
【請求項１０】
前記シングルターンシャフト（５６）にはシャフトエンコーダ（８０）が設けられ、該シャフトエンコーダ（８０）は、光学品質制御装置の動作を印刷シートの通過と同期させるために使用される、請求項９に記載の検査システム。
【請求項１１】
前記吸引ローラ（５０）が複数の吸引開口（５０ａ）を備え、検査されるべき印刷シートの幅に応じて調整機構（７０、７２）により前記吸引開口の一部を選択的に閉じることができる、請求項１から請求項４のいずれか一項に記載の検査システム。
【請求項１２】
前記調整機構（７０、７２）は、シートの移動方向に対して垂直に延びる様々な数の開口（７２ａ）の複数の列が設けられる回転可能な調整部材（７２）を備える、請求項１１に記載の検査システム。
【請求項１３】
シートグリッパシステム（３ｂ）が下側および上側グリッパ経路を備え、これらの経路に沿ってグリッパバー（３２）が導かれ、印刷シートは、前記第１の側を上方に向けた状態で前記下側グリッパ経路上をシートグリッパシステム（３ｂ）によって移送され、
前記ラインカメラ（１１）は、前記下側グリッパ経路よりも上側に位置されるとともに、前記下側グリッパ経路上を移送される印刷シートの第１の側の方へ向く、請求項１から請求項４のいずれか一項に記載の検査システム。
【請求項１４】
−シートを印刷するための印刷ユニット（２）と、
−配送ユニット（４）と、
−印刷シートを印刷ユニット（２）から配送ユニット（４）へ移送するためのシートコンベアシステムであって、印刷シートをその先端により保持するための複数の離間されたグリッパバー（３２）を含む少なくとも１つのシートグリッパシステム（３ａ、３ｂ）を備えるシートコンベアシステムと、
−前記シートグリッパシステム（３ａ、３ｂ）の経路に沿って配置される、請求項１又は３に記載の検査システム（１０）とを備える、印刷機。
【請求項１５】
前記シートコンベアシステムは、印刷ユニット（２）から印刷機の床部へと下方に延びた後、前記床部から前記配送ユニット（４）の上部へと上方に延び、
前記光学品質制御装置は、シートコンベアシステムが床部から配送ユニット（４）の上部へと上方に移動する場所に近い前記床部の近傍に位置される、請求項１４に記載の印刷機。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
１０４のｃｈｅｍＦＥＴ、１０５のｃｈｅｍＦＥＴ、１０６のｃｈｅｍＦＥＴまたは１０７のｃｈｅｍＦＥＴを含む化学的に感受性の電界効果トランジスタ（ｃｈｅｍＦＥＴ）アレイに付着された複数の天然に生じない生物学的または化学的剤を含む装置。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
半導体物体を照明するように構成された照明源と、
照明された前記半導体物体を撮像するように構成された撮像システムと、
を含み、
検査前設定シーケンス中に、第１の照明条件において第１の画像を取得し、第２の照明条件において第２の画像を取得し、該第１の照明条件と該第２の照明条件とは異なるように構成され、
前記半導体物体の検査中に、前記第１の画像及び前記第２の画像に基づいて照明レベルを選択することによって、前記撮像システムに到達する照明を動的に調節するように構成される、
ことを特徴とする光学検査ツール。
【請求項２】
前記照明の強度を変更することによって、該照明を動的に調節するように構成されることを特徴とする請求項１に記載のツール。
【請求項３】
前記照明の偏光状態を変更することによって、該照明を動的に調節するように構成されることを特徴とする請求項１に記載のツール。
【請求項４】
前記照明のスペクトルを変更することによって、該照明を動的に調節するように構成されることを特徴とする請求項１に記載のツール。
【請求項５】
前記半導体物体に到達する前記照明を調節するように構成され、前記照明源と前記半導体物体との間の光路中に配置される、少なくとも１つの減衰器を更に含むことを特徴とする請求項１に記載のツール。
【請求項６】
前記減衰器は、電気光学結晶を含むことを特徴とする請求項５に記載のツール。
【請求項７】
前記照明源を調整することによって、前記照明を動的に調節するように構成されることを特徴とする請求項１に記載のツール。
【請求項８】
少なくとも２つの異なる強度を利用して前記検査前設定シーケンス中に前記半導体物体を照明するように構成されることを特徴とする請求項１に記載のツール。
【請求項９】
前記半導体物体の各部分をフレーム単位で照明して撮像するように構成され、少なくとも２つのフレーム間の該照明を変更することによって、該照明を動的に調節するように構成されることを特徴とする請求項１に記載のツール。
【請求項１０】
前記フレームの１つ又はそれよりも多くにおける１つ又はそれよりも多くの特徴の評価に基づいて、前記照明を動的に調節するように構成されることを特徴とする請求項９に記載のツール。
【請求項１１】
前記照明源と前記半導体物体との間の光路、又は前記半導体物体と前記撮像システムとの間の光路の少なくとも一方に配置された、制御可能な偏光子を更に含むことを特徴とする請求項１に記載のツール。
【請求項１２】
前記照明源と前記半導体物体との間の光路、又は前記半導体物体と前記撮像システムとの間の光路の少なくとも一方に配置された、前記照明のスペクトルの一部分を減衰するように構成される、制御可能減衰器を更に含むことを特徴とする請求項１に記載のツール。
【請求項１３】
半導体物体を照明するように構成された照明源と、
複数のフレームを用いて照明された前記半導体物体を撮像するように構成された撮像システムと、
前記照明源と前記半導体物体との間の照明経路中に配置された制御可能な空間マスクであって、前記フレームの１つの第１の部分及び第２の部分の照明を、それぞれ第１の照明レベル及び第２の照明レベルに動的に調節するように構成された、前記制御可能な空間マスクと、
を含み、
前記第１の部分と前記第２の部分とは互いに異なり、前記第１の照明レベルと前記第２の照明レベルとは互いに異なり、
前記第１の照明条件において第１の画像を取得し、前記第２の照明条件において第２の画像を取得する、検査前設定シーケンスを実行するように構成され、
前記第１の画像及び前記第２の画像に基づいて、前記半導体物体のそれぞれの部分のために前記半導体物体の検査の間に使用される特定の照明レベルを判断するように構成される、
ことを特徴とする光学検査ツール。
【請求項１４】
前記空間マスクは、焦点外の前記半導体物体上に結像されることを特徴とする請求項１３に記載のツール。
【請求項１５】
（ｉ）検査ツールの照明源を用いて、第１の照明条件で半導体物体の関心ある区域を照明する段階、
（ｉｉ）検査ツールの撮像システムを用いて、前記第１の照明条件で照明された前記関心ある区域の画像を取得する段階、
（ｉｉｉ）前記画像の少なくとも１つの品質特性を評価する段階、
（ｉｖ）前記第１の照明条件に代えて第２の照明条件で、段階（ｉ）、（ｉｉ）、及び（ｉｉｉ）を実行する段階であって、前記第１の照明条件と前記第２の照明条件とは異なる、前記段階、
（ｖ）前記半導体物体の前記関心ある区域を検査する段階であって、該検査は、前記検査ツールの前記撮像システムに到達する照明を、前記第１の照明条件及び前記第２の照明条件での撮像中に得られた画像に基づいて照明レベルを選択することによって、動的に調節する段階を含む、前記段階、
を含むことを特徴とする電気光学検査方法。
【請求項１６】
前記少なくとも１つの品質特性が、前記画像における飽和の量を含み、前記第１の照明条件及び第２の照明条件は、異なる強度の照明を含むことを特徴とする請求項１５に記載の方法。
【請求項１７】
前記第１の照明条件及び前記第２の照明条件での撮像中に得られた画像から前記関心ある区域のダイナミックレンジ画像を作成する段階を更に含み、
前記ダイナミックレンジ画像は、前記関心ある区域の検査中に用いる照明のレベルを調節するのに用いられる、
ことを特徴とする請求項１６に記載の方法。
【請求項１８】
前記関心ある区域のダイナミックレンジ画像を作成する段階は、
前記得られた画像内の前記関心ある区域の各領域に対して、該画像において飽和状態にない該領域が撮像された最高照明強度を判断する段階、及び
各領域に対して、該領域が飽和状態になかったそれぞれの最高強度値によって該領域に対するピクセル値を分割する段階、
を含む、
ことを特徴とする請求項１７に記載の方法。
【請求項１９】
前記照明を動的に調節する段階は、
前記半導体物体の領域に対して、前記ダイナミックレンジ画像から該領域の最大区域の反射率を判断する段階、及び
前記反射率に基づいて前記領域に対する照明レベルを判断する段階、
を含む、
ことを特徴とする請求項１７に記載の方法。
【請求項２０】
前記関心ある区域は、半導体ウェーハのダイを含み、
前記半導体物体の前記関心ある区域を検査する段階は、前記ダイに対するダイナミックレンジ画像に基づいて複数のダイを検査する段階を含む、
ことを特徴とする請求項１５に記載の方法。
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
過給タービンを有するディーゼルエンジンにより発生され、かつ一酸化炭素、炭化水素及び微粒子に加え、０．３〜０．７のＮＯ2／ＮＯx比を有する窒素酸化物を含有する排ガスを浄化するにあたり、前記排ガスを、前記窒素酸化物を窒素に還元するためのＳＣＲ触媒コンバータを経て、一酸化炭素及び炭化水素をＣＯ2に酸化するための酸化触媒コンバータを経て、かつ微粒子を除去するためのディーゼル微粒子フィルタに導く浄化方法であって、
ＳＣＲ反応用の還元剤として、尿素溶液、又はアンモニアを遊離する他の水溶性化合物の溶液を使用し、前記還元剤を過給タービンの上流の排出部中へ調量する
ことを特徴とする、排ガスの浄化方法。
【請求項２】
過給タービンを、還元剤及び排ガスの均質化のための混合構成要素として使用する、請求項１記載の方法。
【請求項３】
ディーゼル微粒子フィルタを、臨界排ガス逆圧値を超える際に、能動的に再生し、その際に前記フィルタ上に堆積されたすすの焼き切りに必要とされる温度が、排出部中への燃料後噴射及び燃料の触媒燃焼により発生される、請求項１又は２記載の方法。
【請求項４】
燃料後噴射がＳＣＲ触媒コンバータの流入側に、及び燃料の触媒燃焼が、ＳＣＲ触媒コンバータの流出側に配置された酸化触媒コンバータ上で、行われる、請求項１から３までのいずれか１項記載の方法。
【請求項５】
燃料後噴射が、酸化触媒コンバータと、ディーゼル微粒子フィルタとの間で、及び燃料の触媒燃焼が、ディーゼル微粒子フィルタ上へ施与されている酸化触媒活性コーティング上で、又はディーゼル微粒子フィルタの上流に直接接続され、かつ加熱触媒コンバータとして作用する第二の酸化触媒コンバータ上で、行われる、請求項１から３までのいずれか１項記載の方法。
【請求項６】
過給タービンを有するディーゼルエンジンにより発生され、かつ一酸化炭素、炭化水素及び微粒子に加え、０．３〜０．７のＮＯ2／ＮＯx比を有する窒素酸化物を含有する排ガスを浄化するための装置であって、排ガスの流動方向へ配置され、
還元剤溜めからの還元剤溶液用の調量装置、
窒素酸化物を還元するためのＳＣＲ触媒コンバータ、
一酸化炭素及び炭化水素を酸化するための酸化触媒コンバータ及び
ディーゼル微粒子フィルタ
を含んでなる、排ガス浄化装置。
【請求項７】
還元剤溶液用の調量装置は、過給タービンの流入側に配置されている、請求項６記載の装置。
【請求項８】
還元剤溶液として、尿素溶液、又はアンモニアを遊離する他の水溶性化合物の溶液が使用される、請求項６又は７記載の装置。
【請求項９】
ＳＣＲ触媒コンバータ及び酸化触媒コンバータが、エンジン近くの位置で及び同じハウジング中に配置されている、請求項６から８までのいずれか１項記載の装置。
【請求項１０】
ＳＣＲ触媒コンバータが、２．６〜４．２オングストロームの最大下部チャネル幅を有する１つ又はそれ以上の遷移金属交換されたゼオライト化合物又はゼオライト類似材料を含んでなる、請求項６から９までのいずれか１項記載の装置。
【請求項１１】
酸化触媒コンバータが、触媒コーティングの形で、迅速にウォームアップする担体上に存在し、かつ触媒コンバータ体積を基準として貴金属０．３５〜７g/Lを含有し、その際に貴金属が、白金、パラジウム、ロジウム、イリジウム、ルテニウム及びそれらの混合物からなる群から選択されている、請求項６から９までのいずれか１項記載の装置。
【請求項１２】
貴金属として白金がパラジウムとの組合せで使用され、かつ白金：パラジウム比が１０：１〜１：５である、請求項１１記載の装置。
【請求項１３】
ディーゼル微粒子フィルタが、セラミック材料又は炭化ケイ素製の触媒コーティングされたウォールフローフィルタ基材であり、かつ触媒活性コーティングが、ディーゼル微粒子フィルタの体積を基準として、白金、パラジウム及びそれらの混合物からなる群から選択される貴金属０．１５〜２g/Lを含有する、請求項６から８までのいずれか１項記載の装置。
【請求項１４】
ディーゼル車両の排ガスを浄化するための、請求項６から１３までのいずれか１項記載の装置の使用。
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
式（ＩＶ）
ＳＳ−（ＣＯ）−ＮＨ−Ｃ（Ｒ１）２−（ＣＨ２）ｐ−（ＣＯ）−Ｑ−Ｙ１−Ｑ−（ＣＯ）−ＣＲ２Ｕ２−ＣＨ２−Ｕ１
（ＩＶ）
のグラフト化支持体を含む物品であって、
式中、
ＳＳは、固体支持体を含み、
ｐは、０又は１に等しい整数であり、
それぞれのＲ１は、アルキル、ヘテロアルキル、アリール、又はアラルキルからそれぞれ独立して選択され、
それぞれのＱは、オキシ、チオ、又は−ＮＲ３−（Ｒ３は水素、アルキル、ヘテロアルキル、アリール、又はアラルキルである）から選択される、独立した二価基であり、
Ｙ１は、アルキレン、ヘテロアルキレン、アリーレン、又はそれらの組み合わせを含む、第１の連結基であり、
それぞれのＲ２は、独立して、水素又はアルキルであり、
Ｕ１は、式−ＣＲ２（Ｙ２Ｚ１）−ＣＨ２−の少なくとも１つの二価モノマー単位を含み、
Ｕ２は水素であるか、又は式−ＣＲ２（Ｙ２Ｚ１）−ＣＨ２−の少なくとも１つの二価モノマー単位を含み、
Ｙ２は、アルキレン、ヘテロアルキレン、アリーレン、又はそれらの組み合わせを含む、単結合又は二価基から選択される第２の連結基であり、
Ｚ１は、（１）酸性基若しくはその塩、（２）アミノ基若しくはその塩、（３）ヒドロキシル基、（４）アズラクトン基若しくは前記アズラクトン基の前駆体、（５）グリシジル基、又は（６）それらの組み合わせから選択される官能基である、
物品。
【請求項２】
式（Ｖ）
ＳＳ−（ＣＯ）−ＮＨ−Ｃ（Ｒ１）２−（ＣＨ２）ｐ−（ＣＯ）−Ｑ−Ｙ１−Ｑ−（ＣＯ）−ＣＲ２Ｕ４−ＣＨ２−Ｕ３
（Ｖ）
の修飾されたグラフト化支持体を含む物品であって、
式中、
ＳＳは、固体支持体を含み、
ｐは、０又は１に等しい整数であり、
それぞれのＲ１は、それぞれ独立して、アルキル、ヘテロアルキル、アリール、又はアラルキルから選択され、
Ｙ１は、アルキレン、ヘテロアルキレン、アリーレン、又はそれらの組み合わせを含む、第１の連結基であり、
それぞれのＱは、オキシ、チオ、又は−ＮＲ３−（Ｒ３は水素、アルキル、ヘテロアルキル、アリール、又はアラルキルである）から選択される、独立した二価基であり、
それぞれのＲ２は、独立して、水素又はアルキルであり、
Ｕ３は、式ＣＲ２（Ｙ２Ｌ−Ｔ）−ＣＨ２−の少なくとも１つの二価モノマー単位を含み、
Ｙ２は、アルキレン、ヘテロアルキレン、アリーレン、又はそれらの組み合わせを含む、単結合又は二価基から選択される、第２の連結基であり、
Ｕ３は、式−ＣＲ２（Ｙ２Ｌ−Ｔ）−ＣＨ２−の少なくとも１つの二価モノマー単位を含み、
Ｕ４は、水素であるか、又は式−ＣＲ２（Ｙ２Ｌ−Ｔ）−ＣＨ２−の少なくとも１つの二価モノマー単位を含み、
Ｌは、基Ｚ１を前記修飾剤の修飾基Ａと反応させることによって形成される、結合基であり、
Ｚ１は、（１）酸性基若しくはその塩、（２）アミノ基若しくはその塩、（３）ヒドロキシル基、（４）アズラクトン基若しくは前記アズラクトン基の前駆体、（５）グリシジル基、又は（６）それらの組み合わせから選択される、官能基であり、
Ｔは、修飾剤Ａ−Ｔの残余であり、前記修飾基Ａを引いた、前記修飾剤Ａ−Ｔに等しい、
物品。
【手続補正書】
【提出日】平成24年5月9日(2012.5.9)
【手続補正１】
【補正対象書類名】明細書
【補正対象項目名】００２０
【補正方法】変更
【補正の内容】
【００２０】
カセット１２は、検査テープ３８と、外方に対してシールされ、未使用の検査テープを送り出すための供給スプール４０と、使用済みの検査テープを巻き取るための巻取りスプール４２とを具備している。検査用化学物質で被覆された検査領域部４４は、検体（グルコース）を検出する検査手段として、互いに離間して検査テープ３８に取り付けられている。代替的または付加的に、図示されていないランセット要素を皮膚穿刺のために移動体テープに格納してもよい。検査テープ３８は、検査ユニットが血液サンプルを付与する付与箇所４６に連続して提供されるように駆動ユニット３０によって速巻きされうる。ここで、上記付与箇所（４６）は保護カバー２６が揺れ戻っても被覆されない。そしてグルコース測定値は、色変化に基づいて血液が付与される検査領域部４４の背方側から反射率測定法によって得られうる。
【手続補正２】
【補正対象書類名】特許請求の範囲
【補正対象項目名】全文
【補正方法】変更
【補正の内容】
【特許請求の範囲】
【請求項１】
体液を解析する手持ち式解析デバイス（１０）を制御する制御方法であって、前記解析デバイスに実装された電子制御デバイス（１６）によって、少なくとも１つの使い捨ての検査手段（４４）が連続する測定サイクルで各解析ごとに自動的に供給され、前記制御デバイス（１６）の測定モードにおける各測定サイクルが始動動作によってトリガされ、検査テープが断面に巻かれて前記検査手段（４４）を提供する制御方法において、
前記制御デバイス（１６）が所与の制御的介入によって保守モードに切り替わり、該保守モードにおいて自動的なテープの移送が中断されて、これにより前記手持ち式解析デバイス（１０）における検査手段（４４）の自動供給が停止されるようになることを特徴とする、制御方法。
【請求項２】
始動動作がなされる場合であっても、前記保守モードにおいては測定サイクルの開始が妨げられることを特徴とする、請求項１に記載の制御方法。
【請求項３】
前記保守モードにおいて、検査手段の損失なく前記解析デバイスが洗浄可能であるか、または検査手段が交換可能であることを特徴とする、請求項１または２に記載の制御方法。
【請求項４】
前記保守モードが、前記電子制御デバイス（１６）のソフトウェアメニュー（２４）を介してユーザによって選択されることを特徴とする、請求項１〜３のいずれか１項に記載の制御方法。
【請求項５】
前記保守モードが、手動操作のスイッチ（２０）によって開始されることを特徴とする、請求項１〜４のいずれかに記載の制御方法。
【請求項６】
デバイス構成要素の所定の操作が、前記制御デバイス（１６）によって始動動作として認識されることを特徴とする、請求項１〜５のいずれか１項に記載の制御方法。
【請求項７】
前記始動動作および／または検査手段（４４）の交換がセンサ（３７）によってモニタされ、該センサの信号は前記保守モードにおいて無視されることを特徴とする、請求項１〜６のいずれか１項に記載の制御方法。
【請求項８】
検査手段（４４）が、前記手持ち式解析デバイスのハウジング（１４）内において環境的な影響から保護されることを特徴とする、請求項１〜７のいずれか１項に記載の制御方法。
【請求項９】
前記測定サイクルが前記手持ち式解析デバイスの保護カバー（２６）を開けることによってトリガされ、その後に検査手段（４４）がユーザに操作されるように供給されることを特徴とする、請求項１〜８のいずれか１項に記載の制御方法。
【請求項１０】
前記測定モードにおいて、前記検査手段（４４）が移送デバイス（３０）によって少なくとも１つの所定の位置に移送されるとともに、前記保守モードにおいて検査手段の前記自動移送が中断されることを特徴とする、請求項１〜９のいずれか１項に記載の制御方法。
【請求項１１】
測定サイクルの間に、前記検査手段（４４）の各々が検査手段の格納部（４０）から付与箇所（４６）まで移送されることを特徴とする、請求項１〜１０のいずれか１項に記載の制御方法。
【請求項１２】
検査手段（４４）として複数の解析検査領域および／またはランセット要素が備え付けられた検査テープ（３８）が使用され、該検査テープ（３８）が断面に巻かれていて前記検査手段（４４）を提供することを特徴とする、請求項１〜１１のいずれか１項に記載の制御方法。
【請求項１３】
前記検査手段（４４）が、前記解析デバイスの区画（３４）において交換可能であるとともに、前記測定モードにおいて前記解析デバイスの区画（３４）が開いているときに、始動動作によって有効になった検査手段（４４）が無効にされることを特徴とする、請求項１〜１２のいずれか１項に記載の制御方法。
【請求項１４】
血糖検査用に体液を解析するための手持ち式解析デバイスであって、連続する測定サイクルにおいて、使い捨ての検査手段（４４）を自動的に供給する電子制御デバイス（１６）を具備し、各測定サイクルが前記制御デバイス（１６）の測定モードにおいて始動動作によってトリガされ、検査テープが断面に巻かれて検査手段（４４）を提供する解析デバイスにおいて、
前記制御デバイス（１６）が所与の制御的介入によって保守モードに切り替わりうるとともに、該保守モードにおいて自動的なテープの移送が中断されて、これにより前記手持ち式解析デバイス（１０）における検査手段（４４）の自動供給が停止されるようになることを特徴とする、解析デバイス。
【請求項１５】
血糖検査のために体液を解析する手持ち式解析デバイス（１０）を制御することを特徴とする、請求項１〜１３のいずれか１項に記載の制御方法。
【請求項１６】
前記保守モードが、ソフトキーとして設計される手動操作のスイッチ（２０）によって開始されることを特徴とする、請求項１〜４のいずれかに記載の制御方法。
【請求項１７】
前記解析デバイスがマガジンまたはカセット（１２）の形態を有することを特徴とする、請求項１３に記載の制御方法。
【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
サンプルキャリアのための少なくとも１つの受部を含む、サンプルキャリア支持体であって、
受部は、サンプルキャリアを位置付けるための第１の位置と、サンプルキャリアのある部分を別の部分から分離するための第２の位置とを有している、サンプルキャリア支持体。
【請求項２】
受部は、サンプルキャリアを第１の位置に位置付けるようにされたアームを含む、請求項１に記載のサンプルキャリア支持体。
【請求項３】
受部は、サンプルキャリアの組織カセット部分をサンプルキャリアの型部分から分離するための分割器を有する、請求項２に記載のサンプルキャリア支持体。
【請求項４】
分割器は受部のアームの一部であり、アームの前記一部は、型とカセットとの間隙よりも大きくなるよう寸法決めされている、請求項３に記載のサンプルキャリア支持体。
【請求項５】
型は、受部に型を第１および第２の位置に位置付けるようにされた位置付け手段と、型および組織カセットが第１の位置にある間に、型に組織カセットを解除可能に保持するための手段とを有する、請求項１に記載のサンプルキャリア支持体。
【請求項６】
組織を包埋する方法であって、
ａ．組織を型内に配置し、組織を適所に方向付けるステップと、
ｂ．キャリアを形成するためにカセットを型に取付けるステップと、
ｃ．少なくとも１つのキャリアをラック内に配置するステップと、
ｄ．ラックを包埋材料の浴内に配置し、少なくとも１つのキャリアを充填するステップと、
ｅ．浴からラックを取出し、包埋材料を固化させるステップと、
ｆ．キャリアを第１の位置から第２の位置に動かすことによって、型をカセットから分割するステップとを含む、方法。
【請求項７】
ラックのキャリアを型によって支持するステップを含む、請求項６に記載の方法。
【請求項８】
キャリアを第１の位置に確実に位置付けるために位置付け器を使用するステップを含む、請求項６に記載の方法。
【請求項９】
キャリアを第１の位置から位置付け器を越えて第２の位置に動かすステップを含み、それにより、型はカセットから分離される、請求項８に記載の方法。
【請求項１０】
包埋材料を受けるためのウェルと、組織カセットに型を解除可能に保持するためのコネクタと、型用の支持体に関連して型の第１の位置を規定するための突起とを含む、組織カセット用の型。
【請求項１１】
突起は、型が支持体に関連して第２の位置に動くよう、変形可能にまたは壊れやすくなっている、請求項１０に記載の型。
【請求項１２】
組織および包埋材料を保持するためのウェルを有する本体と、支持体に対して型を適所に保持するための第１および第２の突起と、組織カセットを保持するためのコネクタとを含む、組織カセット用の型。
【請求項１３】
組織カセットを保持するためのコネクタは、型が支持体に装填された場合に、組織カセットと型を保持する支持体の部分との間に間隙が存在するよう、突起から離れて位置している、請求項１２に記載の型。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
固有偏光子の製造方法であって、  
ポリ（ビニルアルコール）を含み、かつ原長を有する高分子フィルムを提供する工程と、
約３．０未満のｐＨを有する第１溶液を含む第１浴中に前記高分子フィルムを浸漬する工程と、
第１高分子フィルムを延伸方向に一軸延伸し、それにより延伸高分子フィルムを形成する工程と、
前記延伸高分子フィルムを前記第１浴から除去する工程と、
少なくとも約１２０℃の温度で前記延伸高分子フィルムを延伸方向に一軸延伸し、それにより更に延伸した高分子フィルムを形成する工程と、
ホウ酸塩を含み、かつ約７．０未満のｐＨを有する第２溶液を含む第２浴中に、前記更に延伸した高分子フィルムを浸漬する工程と、
ホウ酸塩を含み、かつ約７．０未満のｐＨを有する第３溶液を含む第３浴中に、前記更に延伸した高分子フィルムを浸漬する工程と、
ホウ酸塩を含み、かつ約７．０未満のｐＨを有する第４溶液を含む第４浴中に、前記更に延伸した高分子フィルムを浸漬する工程を更に含む方法。
【請求項２】
約５℃〜約１５℃の温度でホウ酸塩処理高分子フィルムを水によって洗浄する工程と、
７０℃〜約９０℃の温度で前記ホウ酸塩処理高分子フィルムを空気によって乾燥する工程を更に含む請求項１に記載の方法。
【請求項３】
前記第２溶液が、約４％〜約１０％のホウ酸を含み、かつ約８５℃〜約９６℃の温度である請求項１から請求項３のいずれか一項に記載の方法。
【請求項４】
前記第３溶液が、約４％〜約１０％のホウ酸を含み、かつ約８７℃〜約９３℃の温度である請求項１から請求項４のいずれか一項に記載の方法。
【請求項５】
前記更に延伸した高分子フィルムの幅が、前記第３浴中で約５％〜約１５％増加する請求項１から請求項５のいずれか一項に記載の方法。
【請求項６】
前記第４溶液が、約４％〜約１０％のホウ酸を含み、かつ約８９℃〜約９５℃の温度である請求項１から請求項６のいずれか一項に記載の方法。
【請求項７】
前記更に延伸した高分子フィルムの幅が、前記第４浴中で約５％〜約２５％増加する請求項１から請求項７のいずれか一項に記載の方法。
【手続補正２】
【補正対象書類名】明細書
【補正対象項目名】０００４
【補正方法】変更
【補正の内容】
【０００４】
合成二色性偏光子の例は、固有偏光子、すなわちＫ型偏光子のような、ポリビニレンをベースとする偏光子である。固有偏光子は、その二色性を染料添加剤、染色又は懸濁した結晶質の吸光性よりもむしろ、そのマトリックスの吸光性から導く。概して固有偏光子は、一定の割合のポリ（ビニルアルコール）が脱水されて、共役二重結合、すなわちポリビニレンの配列を形成する、配向ポリ（ビニルアルコール）シート又はフィルムを含む。この種類の固有偏光子は、概して塩酸蒸気のような酸性蒸気脱水触媒の存在下で高分子フィルムを加熱することによって形成され、共役ポリビニレンを生成し、かつ脱水ステップ前、その後及びその間に高分子フィルムを一方向に延伸して、ポリ（ビニルアルコール）マトリックスを整列させる。ポリ（ビニルアルコール）マトリックスを一方向に配向することにより、共役ポリビニレン又は発色団の遷移モーメントもまた配向され、かつ物質が可視的に二色性になる。第２配向ステップ又は伸長ステップ及びホウ酸処理（ｂｏｒａｔｉｏｎ  ｔｒｅａｔｍｅｎｔ）が、脱水ステップ後に用いることができる。改善されたＫ型偏光子は、ＫＥ型偏光子として知られ、かつ高温のような種々の条件下で、改善された安定性を有する。
【発明の概要】
【発明が解決しようとする課題】
ＫＥ偏光子を製造する典型的な工程は、３つの異なる機械加工ステップを必要とする。結果として生じた生成物が他の偏光子フィルム技術とコスト競争力を持てるように、統合された製造工程が望ましい。
【課題を解決するための手段】
【手続補正３】
【補正対象書類名】明細書
【補正対象項目名】００１０
【補正方法】削除
【補正の内容】